(57)【要約】【課題】こて先が冷えている状態から設定温度に達するまでの作業待機時間を短縮し、作業者のはんだ付け作業の効率を向上させることができるはんだ装置を提供する。【解決手段】こて先１２とこてヒータ部１４とこてヒータ制御部１６とこてヒータ制御部へ電力を供給する蓄電手段１８とを備えるコードレスはんだごて１０と、収容部３２を備えるコードレスはんだごてを収容するこて台３０とを有するはんだ装置１において、コードレスはんだごては、こて台から供給される電力を供給可能な電力受取部２０を有し、こて台は、こて先を加熱する収容ヒータ部３４と、収容ヒータ制御部３６と、電力受取部に電力を供給する電力供給部３８と、を有し、こてヒータ制御部は、電力受取部を介して供給される電力を制御して収容部に収容されたこて先を加熱し、収容ヒータ制御部は、収容ヒータ部へ供給する電力を制御して収容部に収容されたこて先を加熱する、はんだ装置である。【選択図】図２
2020110822.tif 000002
【特許請求の範囲】
【請求項１】
こて先と、前記こて先を加熱するこてヒータ部と、前記こてヒータ部への電力を制御するこてヒータ制御部と、前記こてヒータ制御部へ電力を供給することが可能な充電可能な蓄電手段と、を備えるコードレスはんだごてと、
前記こて先を収容する収容部を備える前記コードレスはんだごてを収容するこて台と、
を有するはんだ装置において、
前記コードレスはんだごては、
前記こてヒータ制御部に接続されて、前記こて台から供給される電力を供給可能な電力受取部を有し、
前記こて台は、
前記収容部に収容された前記こて先を加熱する収容ヒータ部と、
前記収容ヒータ部へ供給する電力を制御する収容ヒータ制御部と、
前記電力受取部に電力を供給する電力供給部と、
を有し、
前記こてヒータ制御部は、
前記電力受取部を介して供給される電力を制御して前記収容部に収容された前記こて先を加熱し、
前記収容ヒータ制御部は、
前記収容ヒータ部へ供給する電力を制御して前記収容部に収容された前記こて先を加熱する、
はんだ装置。
【請求項２】
請求項１に記載のはんだ装置であって、
前記コードレスはんだごては、
前記こて先の温度を設定する温度設定手段と、前記温度設定手段で設定された設定温度情報を前記収容ヒータ制御部に出力する設定温度情報出力手段と、を備え、
前記こて台は、
前記設定温度情報出力手段から出力された前記設定温度情報が入力される設定温度情報入力部と、を備え、
前記収容ヒータ制御部は、
前記設定温度情報に基づいて前記収容ヒータ部への電力を制御する、
はんだ装置。
【請求項３】
請求項２に記載のはんだ装置であって、
前記こてヒータ制御部は、
前記設定温度情報に基づいて、前記電力受取部から前記こてヒータ部への電力を制御して前記こて先の加熱を停止し、
前記収容ヒータ制御部は、
前記収容ヒータ部へ供給される電力を制御し前記こて先を継続して加熱する、
はんだ装置。
【請求項４】
請求項１〜３のいずれか一項に記載のはんだ装置であって、
前記電力供給部は、
前記電力受取部を介して供給される電力を前記蓄電手段に供給し充電する、
はんだ装置。
【請求項５】
請求項１〜４のいずれか一項に記載のはんだ装置であって、
前記蓄電手段は、
電気二重層キャパシタである、
はんだ装置。
【発明の詳細な説明】
【技術分野】
【０００１】
本発明は、はんだ装置に関する。
【背景技術】
【０００２】
はんだ装置は、加熱されたこて先ではんだを溶融させるはんだごてと、加熱されたこて先を保持収容するこて台と、を有している。はんだごては、こて先を加熱するヒータと、ヒータに電力を供給するとともに外部の電源に接続されている電源コードを有しているものが一般的であった。
【０００３】
しかし、微小な部品等のはんだ付けの作業や、狭い場所での作業において、作業者がはんだごてを把持してはんだ付け作業をする場合、電源コードがはんだごての動きを制限し、作業の効率の低下を招く可能性がある。そこで、電池を内蔵して電源コードを廃止した種々のコードレスはんだごてが提案されている。
【０００４】
図４に示すように、例えば特許文献１には、コードレス式電気はんだ加熱器具および保持台１０１（はんだ装置に相当）が記載されている。コードレスはんだごて１１０（コードレス式電気はんだ加熱器具）は、加熱部１１４（こてヒータ部に相当）と温度検知部１１４Ｓを有するこて先と、加熱制御部１１６Ｈと温度制御部１１６Ｓを有する制御基板１１６（こてヒータ制御部に相当）と、電気二重層コンデンサ１１８（蓄電手段に相当）を備えている。こて台１３０は、充電回路１３８（電力供給部に相当）を備えている。
【０００５】
特許文献１のコードレスはんだごて１１０において、動作を開始すると、温度制御部１１６Ｓは、温度検知部１１４Ｓからの信号に基づいてこて先の温度と設定温度を比較する。加熱制御部１１６Ｈは、こて先の温度が設定温度になるように加熱部１１４を制御しこて先を加熱する。
【０００６】
こて台１３０は、収容されたコードレスはんだごて１１０に設けられた充電接続部１２０をこて台１３０の充電用端子１４２に接続して、電気二重層コンデンサ１１８を、充電する。
【先行技術文献】
【特許文献】
【０００７】
【特許文献１】国際公開第２００５/０８４８６５号
【発明の概要】
【発明が解決しようとする課題】
【０００８】
例えば、製造ラインのはんだ付け工程の現場では、製造ラインの稼働開始時に、こて先が冷えている状態から設定温度に達するまでの時間である作業待機時間がより短いと、作業効率をより向上させることができるので好ましい。
【０００９】
しかし、特許文献１に記載のコードレス式電気はんだ加熱器具および保持台１０１（はんだ装置に相当）では、こて先を加熱する加熱部がコードレスはんだごて１１０内の加熱部１１４のみであるので、作業待機時間が比較的長くなりあまり好ましくない。
【００１０】
本発明は、このような点に鑑みて創案されたものであり、こて先が冷えている状態から設定温度に達するまでの作業待機時間を短縮し、作業者のはんだ付け作業の効率を向上させることができるはんだ装置を提供することを課題とする。
【課題を解決するための手段】
【００１１】
上記課題を解決するため、第１の発明は、こて先と、前記こて先を加熱するこてヒータ部と、前記こてヒータ部への電力を制御するこてヒータ制御部と、前記こてヒータ制御部へ電力を供給することが可能な充電可能な蓄電手段と、を備えるコードレスはんだごてと、前記こて先を収容する収容部を備える前記コードレスはんだごてを収容するこて台と、を有するはんだ装置において、前記コードレスはんだごては、前記こてヒータ制御部に接続されて、前記こて台から供給される電力を供給可能な電力受取部を有し、前記こて台は、前記収容部に収容された前記こて先を加熱する収容ヒータ部と、前記収容ヒータ部へ供給する電力を制御する収容ヒータ制御部と、前記電力受取部に電力を供給する電力供給部と、を有し、前記こてヒータ制御部は、前記電力受取部を介して供給される電力を制御して前記収容部に収容された前記こて先を加熱し、前記収容ヒータ制御部は、前記収容ヒータ部へ供給する電力を制御して前記収容部に収容された前記こて先を加熱する、はんだ装置である。
【００１２】
第２の発明は、上記第１の発明に係るはんだ装置であって、前記コードレスはんだごては、前記こて先の温度を設定する温度設定手段と、前記温度設定手段で設定された設定温度情報を前記収容ヒータ制御部に出力する設定温度情報出力手段と、を備え、前記こて台は、前記設定温度情報出力手段から出力された前記設定温度情報が入力される設定温度情報入力部と、を備え、前記収容ヒータ制御部は、前記設定温度情報に基づいて前記収容ヒータ部への電力を制御する、はんだ装置である。
【００１３】
第３の発明は、上記第２の発明に係るはんだ装置であって、前記こてヒータ制御部は、前記設定温度情報に基づいて、前記電力受取部から前記こてヒータ部への電力を制御して前記こて先の加熱を停止し、前記収容ヒータ制御部は、前記収容ヒータ部へ供給される電力を制御し前記こて先を継続して加熱する、はんだ装置である。
【００１４】
第４の発明は、上記第１の発明〜第３の発明のいずれか１つに係るはんだ装置であって、前記電力供給部は、前記電力受取部を介して供給される電力を前記蓄電手段に供給し充電する、はんだ装置である。
【００１５】
第５の発明は、上記第１の発明〜第４の発明のいずれか１つに係るはんだ装置であって、前記蓄電手段は、電気二重層キャパシタである、はんだ装置。
【発明の効果】
【００１６】
第１の発明によれば、こてヒータ部と収容ヒータ部の両方でこて先を加熱するため、こてヒータ部のみにより加熱する場合と比較して、こて先が冷えている状態から設定温度に達するまでの作業待機時間を短縮し、作業者のはんだ付け作業の効率を向上させることができる。
【００１７】
第２の発明によれば、こて台の収容ヒータ部の設定温度をこて先の設定温度と同じにすることにより、作業者が所望する設定温度になるまでの作業待機時間をより短縮できる。
【００１８】
第３の発明によれば、こてヒータ部によるこて先の加熱が停止され、こて先を収容ヒータ部のみにより温度設定手段で設定された所定の温度に維持するため、こてヒータ部と収容ヒータ部の両方でこて先を加熱し所定の温度に維持する場合と比較して電力を節約できる。
【００１９】
第４の発明によれば、コードレスはんだごてがこて台へ収容されている間、蓄電手段を充電することができる。これにより、収容されている間、常時蓄電手段が充電されているため、作業者がコードレスはんだごてを把持しはんだ付け作業を所望する場合に、別途充電作業を行う必要がないため、はんだ付け作業の開始までの時間を短縮でき、はんだ付け作業の効率をより向上させることができる。
【００２０】
第５の発明によれば、リチウムイオン電池等と比較すると充電が完了するまでの充電完了時間を短縮でき、より大容量の電力を蓄電できるためより長い時間こてヒータ部へ供給することができる。これにより、充電開始からはんだ付け作業開始までの時間を短縮できるとともに、こて先の温度をより長時間設定温度に維持できる。したがって、充電頻度を減らすことができ、はんだ付け作業の効率をより向上させることができる。
【図面の簡単な説明】
【００２１】
【図１】はんだ装置の全体構成を説明する図である。
【図２】コードレスはんだごてとこて台の回路構成を説明する図である。
【図３】こて先の温度と目標設定温度まで上昇する時間を説明する図である。
【図４】従来のはんだ装置の回路構成を説明する図である。
【発明を実施するための形態】
【００２２】
●［はんだ装置１の全体構成（図１、図２）］
図１と図２を用いて本発明のはんだ装置を実施するための形態の例を説明する。図１は、はんだ装置１の全体構成を説明する図である。図２は、コードレスはんだごて１０とこて台３０の回路構成を説明する図である。
【００２３】
図１に示すように、はんだ装置１は、コードレスはんだごて１０と、コードレスはんだごて１０を収容するこて台３０と、を有する。
【００２４】
図２に示すように、コードレスはんだごて１０は、こて先１２と、こてヒータ部１４と、温度測定手段１４Ｓと、こてヒータ制御部１６と、蓄電手段１８と、電力受取部２０と、温度設定手段２２と、設定温度情報出力手段２４と、スイッチＳＷ１と、把持部２と、を有している。
【００２５】
こて台３０は、こて先１２を収容する収容部３２と、収容ヒータ部３４と、温度測定手段３４Ｓと、収容ヒータ制御部３６と、電力供給部３８と、設定温度情報入力部４０と、接続部４２と、スイッチＳＷ２と、電源コード４と、電源プラグ６と、を有している。
【００２６】
こてヒータ部１４は、例えば電熱線等（ニクロム線等の）のはんだ溶融温度を供給可能な発熱部材により構成され、こて先１２を加熱する。
【００２７】
温度測定手段１４Ｓは、こて先１２の温度を測定できるように設けられており、こて先１２の温度に応じた信号をこてヒータ制御部１６に出力する。温度測定手段１４Ｓは、例えば、温度の変化により抵抗値が変わるサーミスタであり、こて先１２の温度に応じた抵抗値をこてヒータ制御部１６に出力する。
【００２８】
温度設定手段２２は、例えば、こて先１２の設定温度情報として作業者が所望するこて先の設定温度を電圧値としてこてヒータ制御部１６へ出力する。なお、温度設定手段２２は、例えば、ポテンショメータのような可変抵抗器で構成され、作業者が所望するこて先の設定温度に応じて抵抗値が変更されて、抵抗値に応じた電圧値を出力する。
【００２９】
こてヒータ制御部１６は、温度測定手段１４Ｓの情報と温度設定手段２２の情報に基づいて、こて先１２の温度が設定温度情報（こて先の設定温度）になるようにヒータ部１４へ供給する電力を制御する。
【００３０】
例えば、こてヒータ制御部１６は、温度測定手段１４Ｓの情報に基づくこて先１２の温度が温度設定手段２２で設定された温度を超えて、設定された温度とこて先１２の温度との差が所定の値以上になった場合、ヒータ部１４への電力の供給を停止する。こてヒータ制御部１６は、温度設定手段２２で設定された温度と温度測定手段１４Ｓの情報に基づくこて先１２の温度との差が所定の値より小さくなった場合、ヒータ部１４への電力の供給を開始する。
【００３１】
蓄電手段１８は、充電可能であり、こてヒータ制御部１６へ電力を供給することが可能である。なお、蓄電手段１８は、電気二重層キャパシタである。これにより、充電時間を短縮できるとともに、より大容量の電力を蓄電できるためより長い時間こてヒータ制御部１６へ電力を供給することができる。
【００３２】
電力受取部２０は、蓄電手段１８に接続されて、こて台３０から供給される電力を蓄電手段１８に供給可能である。また、電力受取部２０は、スイッチＳＷ２を介してこてヒータ制御部１６に接続されている。電力受取部２０は、スイッチＳＷ２がＯＮされると、こてヒータ制御部１６に接続されて、こて台３０から供給される電力をこてヒータ制御部１６に供給可能である。
【００３３】
図１に示すように、電力受取部２０は、コードレスはんだごて１０を収容部３２へ収容した状態で、こて台３０の接続部４２に接続されるように設けられている。例えば、電力受取部２０と接続部４２の間の接続は、一方を平板状の金属端子で形成し、他方を凸状の金属端子で形成して、凸状の金属端子が平板状の金属端子に接触することで形成しても良い。
【００３４】
設定温度情報出力手段２４は、温度設定手段２２により設定された設定温度情報を収容ヒータ制御部３６に出力する。なお、設定温度情報出力手段２４は、例えば、温度設定手段２２から出力された設定温度情報（電圧値）に基づいた電圧値を収容ヒータ制御部３６に設けられた設定温度情報入力部４０に出力する。なお、設定温度情報出力手段２４は、例えば、抵抗器等を用いて構成し、設定温度情報（電圧値）を適切な範囲の電圧値として出力する。
【００３５】
スイッチＳＷ１は、コードレスはんだごて１０のメインのスイッチであり、こてヒータ制御部１６と蓄電手段１８の間に設けられている。スイッチＳＷ１がＯＮされると、こてヒータ制御部１６は、こてヒータ部１４に電力を供給し制御を開始する。
【００３６】
図１に示すように、収容ヒータ部３４は、収容部３２に配置され、収容部３２に収容されたこて先１２を加熱する。収容ヒータ部３４は、例えば、ニクロム線等の電熱線等の発熱部材により構成されている。
【００３７】
温度測定手段３４Ｓは、こて先１２が収容された収容部３２の温度を測定できるように設けられており、収容部３２の温度に応じた信号を収容ヒータ制御部３６に出力する。温度測定手段３４Ｓは、例えば、温度の変化により抵抗値が変わるサーミスタであり、収容部３２の温度に応じた抵抗値を収容ヒータ制御部３６に出力する。
【００３８】
設定温度情報入力部４０は、設定温度情報出力手段２４から出力された設定温度情報が入力され、設定温度情報を収容ヒータ制御部３６へ出力する。
【００３９】
収容ヒータ制御部３６は、温度測定手段３４Ｓの情報と設定温度情報入力部４０の情報に基づいて、収容部３２の温度が設定温度情報入力部４０の情報に基づく温度になるように収容ヒータ部３４へ供給する電力を制御する。
【００４０】
例えば、収容ヒータ制御部３６は、温度測定手段３４Ｓの情報に基づく収容部３２の温度が設定温度情報入力部４０の情報に基づく温度を超えて、情報に基づく温度と収容部３２の温度との差が所定の値以上になった場合、収容ヒータ部３４への電力の供給を停止する。収容ヒータ制御部３６は、設定温度情報入力部４０の情報に基づく温度と温度測定手段３４Ｓの情報に基づく収容部３２の温度との差が所定の値より小さくなった場合、収容ヒータ部３４への電力の供給を開始する。
【００４１】
電力供給部３８は、電力受取部２０に電力を供給する。電力供給部３８は、例えば、電源プラグ６を電源（図示省略）へ接続し、電源から電力が供給される。
【００４２】
スイッチＳＷ２は、２系統の回路を同時にＯＮまたはＯＦＦできるスイッチであり、電源プラグ６と電力供給部３８との間と、こてヒータ制御部１６と蓄電手段１８の間にそれぞれ設けられている。スイッチＳＷ２は、こて台３０のメインの電源スイッチであり、かつ、コードレスはんだごて１０が収容部３２に収容されている状態で電力供給部３８からこてヒータ制御部１６へ電力の供給を制御するためのスイッチである。
【００４３】
●［はんだごてのこて先の温度上昇と時間の関係（図３）］
図３は、こて先の温度と目標設定温度まで上昇する時間を説明する図である。図３において、横軸ははんだごての電源投入からの時間［Ｔ］を表し、縦軸はこて先の温度［℃］を表している。実線は本願のコードレスはんだごて１０のこて先１２を表し、点線は従来のはんだごてのこて先の温度を表している（図２参照）。なお、目標設定温度ＴＰは、作業者が設定を所望するこて先の設定温度である。
【００４４】
本願のコードレスはんだごて１０は、こてヒータ部１４と収容ヒータ部３４の両方でこて先１２を加熱する（図２参照）。それに対して、従来のはんだごては、こて先に設けられているヒータのみにより加熱する。
【００４５】
したがって、こて先１２が冷えている状態（時間Ｔ＝０）から目標設定温度ＴＰに達するまでの時間である作業待機時間ｔａは、従来のこて先のヒータのみで加熱する場合の目標設定温度ＴＰに達するまでの時間である作業待機時間ｔｂよりも短くなる。これにより、こて先のヒータのみにより加熱する場合と比較して、作業待機時間を短縮し、作業者のはんだ付け作業の効率を向上させることができる。
●［本願の効果］
【００４６】
以上に説明したように、収容ヒータ部とこてヒータ部の両方でこて先を加熱するため、こてヒータ部のみにより加熱する場合と比較して、こて先が冷えている状態から設定温度に達するまでの作業待機時間を短縮し、作業者のはんだ付け作業の効率を向上させることができる。
【００４７】
本発明の、はんだ装置は、本実施の形態で説明した構成、構造等に限定されず、本発明の要旨を変更しない範囲で種々の変更、追加、削除が可能である。
【００４８】
本実施の形態の説明において、蓄電手段は電気二重層キャパシタである例で説明したが、その他の充電可能なバッテリ、例えば、リチウムイオン電池等でも良い。
【００４９】
本実施の形態の説明において、こて先の温度を温度設定手段で設定可能である例で説明したが、設定可能ではなくあらかじめ設定された固定の温度であっても良い。また、収容部の設定温度は、コードレスはんだごての温度設定手段により設定された設定温度情報に基づいて設定されなくても良い。
【００５０】
本実施の形態の説明において、電力供給部から電力受取部への電力の供給は、接続部を介する有線方式で供給する例で説明したが、無線方式による電力の供給でも良い。
【符号の説明】
【００５１】
１      はんだ装置
２      把持部
４      電源コード
６      電源プラグ
１０      コードレスはんだごて
１２      こて先
１４      こてヒータ部
１４Ｓ      温度測定手段
１６      こてヒータ制御部
１８      蓄電手段
２０      電力受取部
２２      温度設定手段
２４      設定温度情報出力手段
３０      こて台
３２      収容部
３４      収容ヒータ部
３４Ｓ      温度測定手段
３６      収容ヒータ制御部
３８      電力供給部
４０      設定温度情報入力部
４２      接続部
ＳＷ１、ＳＷ２      スイッチ
ｔａ、ｔｂ      作業待機時間
ＴＰ      目標設定温度
１０１      コードレス式電気はんだ加熱器具および保持台
１１０      コードレスはんだごて
１１４      加熱部
１１４Ｓ      温度検知部
１１６      制御基板
１１６Ｈ      加熱制御部
１１６Ｓ      温度制御部
１１８      電気二重層コンデンサ
１２０      充電接続部
１３０      こて台
１３８      充電回路
１４２      充電用端子
【図１】
2020110822.tif 000003
【図２】
2020110822.tif 000004
【図３】
2020110822.tif 000005
【図４】
2020110822.tif 000006